(57)【要約】【課題】画像再生装置において、記録画像の関連情報から位置情報を再生する際、位置情報が得られなかった場合には、ユーザーに対して後からの位置情報の再設定をさせやすくする確実な情報表示を行う事を目的とする。【解決手段】画像情報および位置情報を含む画像関連情報を再生する画像再生装置において、画像情報および位置情報を含む画像関連情報を再生する再生手段と、画像関連情報を比較，演算する手段と、地図情報を参照する手段と、画像および関連情報を表示する表示手段とを備え、位置情報が再生できない場合には、位置情報が再生できないコマの前後コマの位置情報および他の画像関連情報を用いて表示手段により表示する構成。【選択図】　　　　図１
2004015378.tif 000002
【特許請求の範囲】
【請求項１】
画像情報と共に画像撮影時の位置情報を含む撮影関連情報が記録された記録媒体の情報を再生する画像再生装置において、画像情報および画像撮影時の位置情報を再生する際に、画像撮影時の位置情報が記録媒体より得られないと判断された場合には、その画像の前後に記録された画像撮影時の位置情報および他の撮影関連情報を表示することを特徴とする画像再生装置。
【請求項２】
請求項１記載の他の撮影関連情報は、位置情報が得られない画像での日時情報と、位置情報が得られた画像での日時情報との差とする情報であることを特徴とする画像再生装置。
【請求項３】
請求項１記載の他の撮影関連情報は、位置情報が得られない画像の前後の画像での位置を含む地図情報であることを特徴とする画像再生装置。
【発明の詳細な説明】
【０００１】
【発明の属する技術分野】
本発明は記録された画像および該画像の関連情報の再生が可能な画像再生装置の再生機能に関する。
【０００２】
【従来の技術】
従来、画像情報とともに該画像情報に関連する情報を記録媒体に記録するカメラが知られており、代表的なのものとしてＡＰＳカメラ、デジタルカメラ等が知られている。そして該カメラで記録される画像の関連情報としてはシャッター速度、絞り等の撮影データや撮影日時、時刻等があり、特開平５−２２４２９０号においてはＧＰＳ受信機を内蔵し、該ＧＰＳ受信機より得られる測位情報や地名情報を関連情報の一部として記憶するものも提案されている。
【０００３】
また、前記記録媒体に記録された画像等を再生する再生装置としてはフォトビューワ、またパーソナルコンピュータを利用した画像再生システム等があげられ、画像の再生時には画像情報とともに年月日・時刻の情報や位置情報等の記録媒体に記憶されている関連情報も同時に表示させるものが公知としてある。
【０００４】
さらに前記ＧＰＳを利用したものでは、特開平６−６７２８２号においてはＧＰＳよりの測位データを記憶しておき、ＧＰＳの受信が不可能であった場合に記憶されている測位データを代替データとして記録するものが提案されており、また特開平８−１７９０２６号においてはＧＰＳより得られた位置情報を地名に変換する変換手段をもち、ＧＰＳの受信が不可能であった場合に記憶されている位置情報もしくは地名に目印を付加した代替データとして記録し、さらにＧＰＳの受信が不可能となってからの経過時間が所定時間内であれば、最後に所得した位置情報もしくは地名を代替で記録させるようにしたものも提案されている。
【０００５】
【発明が解決しようとする課題】
しかしながら、上記特開平６−６７２８２号においてはＧＰＳ受信ができない場合、強制的に代替データによる記録を行ってしまう事から、明らかに撮影者が撮影場所をわかっているような時などでも間違ったデータとして記録されてしまう事になる。
【０００６】
また特開平８−１７９０２６号においては、ＧＰＳ受信ができない場合、代替データとして記録した事がわかる目印を付加しているが、代替データとして記録したこと自体はわかるが、結局上記提案と同様に間違ったデータとして記憶している事となる。
【０００７】
さらに位置情報を最後に所得してからの経過時間が所定時間内であった時のみ、代替データとして記録するようにしているが、記憶されている前のデータから大きくはずれて記録させないだけで、その所定時間が経過したものについての位置情報は何もわからない事になる。
【０００８】
本発明はこのような問題点に鑑みなされたものであって、画像情報とともに画像情報の関連情報として位置情報を再生する際に、その位置情報が得られない場合にはユーザーに対してあとから位置情報の選択をさせやすくする確実な情報表示をおこなう画像再生装置を提供することを目的とする。
【０００９】
【課題を解決するための手段】
上記目的を達成するために、本発明の請求項１の画像再生装置は、画像情報と共に画像撮影時の位置情報を含む撮影関連情報が記録された記録媒体の情報を再生する画像再生装置において、画像情報および画像撮影時の位置情報を再生する際に、画像撮影時の位置情報が記録媒体より得られないと判断された場合には、その画像の前後に記録された画像撮影時の位置情報および他の撮影関連情報を表示することを特徴としている。
【００１０】
また、請求項１の画像再生装置において、他の撮影関連情報は位置情報が得られない画像での日時情報と、位置情報が得られた画像での日時情報との差とする情報であることを特徴とする。
【００１１】
また、請求項１の画像再生装置において、他の撮影関連情報は位置情報が得られない画像の前後の画像での位置を含む地図情報であることを特徴とする。
【００１２】
【発明の実施の形態】
以下、本発明の実施の形態を図面に基づいて説明する。
【００１３】
（実施例）
図１は、第１の実施形態に係る画像再生装置であるフォトビューワにおけるブロック図である。該フォトビューワは、具体的には、位置情報に対応した地図情報や地名情報等の地図データベース１が格納されたＲＯＭ等からなるデータベース２と、各種データが格納されたＲＡＭ，ＥＥＰＲＯＭ等からなる情報記憶部３と、画像関連情報の選択・確認および各設定等を行う選択スイッチ群４と、画像情報および画像関連情報等の表示を行う表示部５と、ＡＰＳフィルム１３への書込指令を発する書込指令部６と、これら各構成要素に接続されてシステム全体の制御を行う制御部７とを有している。
【００１４】
さらに、制御部７は、ＡＰＳフィルム１３の画像記録部に記録された画像情報を読み取る画像読取部８と、ＡＰＳフィルム１３の画像関連情報記録部に記録された年月日、時刻、位置情報等の画像関連情報を読み取る関連情報読取部９と、該関連情報読取部９により読み取られた位置情報とデータベース２とを照合して前記位置情報を地名データや名称データ等の固有情報に変換する変換部１０とを備え、また各読み取り部で読み取られた各データや記憶部に記憶されているデータ等に対しての比較、演算も行う演算処理部も有している。また、記憶部３は、画像読取部８で読み取られた画像情報を記憶する画像情報記憶部１１と、画像関連情報部９で読み取られた画像関連情報および変換部１０で変換された前記固有情報を記憶する関連情報記憶部１２とを有している。
【００１５】
次に図２のフローチャートを参照しながら、第一の実施例に係わる画像再生動作について説明する。
【００１６】
まず、不図示のスイッチを操作してＡＰＳフィルム１３の給送を行い、ＡＰＳフィルム１３の画像記録部および画像関連記録部に記録されている１コマ分の記録情報を制御部の画像読取部８および関連情報読取部９で読み取る（Ｓ１０１）。次に読み取られた画像情報を画像情報記憶部１１に記憶し、また画像関連情報を関連情報記憶部１２に記憶させる（Ｓ１０２）。次に読み取った画像関連情報の中に位置情報が記録されているか否かの判断を行い、記録されていればＳ１１１へ進み通常の画像表示を表示部５にて行う。そうでなければＳ１０４へ進む（Ｓ１０３）。
【００１７】
次にＳ１０４では、ＡＰＳフィルム１３の巻き上げおよび巻き戻し動作を行い、画像情報および画像関連情報を読み取った１コマに対する前後コマの画像関連情報の読み取りを関連情報読取部９で読み取る。次にＳ１０４にて読み取った前後のコマの関連情報を画像関連情報１２に記憶を行い（Ｓ１０５）、Ｓ１０２で記憶した１コマの画像関連情報内から日時データを呼び出し、Ｓ１０５で記憶した前後コマの日時データとの比較・演算をそれぞれ行って１コマとの時間差を求める（Ｓ１０６）。
【００１８】
次に表示すべきデータを画像関連情報の選択・確認等を行う選択スイッチ群４により選択されている設定から決定し（Ｓ１０７）、前コマデータに対する時間差が選択されていれば前コマと時間差データを表示部５に表示し（図４）、後コマデータに対する時間差であれば後コマと時間差データを表示部５に表示し（図５）、画像情報とともに選択コマと時間差データを表示部５に表示を行う。（Ｓ１０８）
図４、図５では位置情報が不明なＮコマ目に対して、前コマであればＮ−１コマ目が、後コマであればＮ＋１コマ目が選択された場合での表示の一例である。
【００１９】
ここで、選択スイッチ群４により選択されている設定が、位置情報については地名表示とする設定がされていたならば、変換部１０にて読み取られた位置情報とデータベース２とを照合して地名情報に変換し、その地名情報に前記時間差情報を付帯した情報での表示を行う。図６はその表示状態の一例であり、地名情報として位置情報から河口湖畔に変換された場合での表示例である。
【００２０】
次に、画像関連情報に関して、位置情報の上書きを行うか否かを、操作ＳＷ群４に含まれる不図示の上書き選択ＳＷの操作による入力を待ち（Ｓ１０９）、上書きしないと設定されればそのまま再生動作を終了する。上書きすると設定されたならばＳ１１０へ進み、Ｓ１０７にて設定されている対照コマのデータでの位置情報を、書き込み指令部６からの指令によりＡＰＳフィルム１３の画像関連情報記録部へ画像関連情報として位置情報も含めた上書きを行う（Ｓ１１０）。
【００２１】
以上説明したように本実施形態によれば画像再生時において、記録された画像の位置情報が不明である場合には、その画像情報が記録されているコマの日時情報と、その前後のコマに記録されている日時情報とを比較して、比較対照コマの位置情報とその時間差を表示させる事で、ユーザーに対して撮影場所の特定をさせ易くし、確実な位置情報の再設定・記録が可能となる。
【００２２】
次に図３のフローチャートを参照しながら、第二の実施例に係わる画像再生動作について説明する。
【００２３】
まず、不図示のスイッチを操作してＡＰＳフィルム１３の給送を行い、ＡＰＳフィルム１３の画像記録部および画像関連記録部に記録されている１コマ分の記録情報を制御部の画像読取部８および関連情報読取部９で読み取る（Ｓ２０１）。次に読み取られた画像情報を画像情報記憶部１１に記憶し、また画像関連情報を関連情報記憶部１２に記憶させる（Ｓ２０２）。次に読み取った画像関連情報の中に位置情報が記録されているか否かの判断を行い、記録されていればＳ２１２へ進み通常の画像表示を表示部５にて行う。そうでなければＳ２０４へ進む（Ｓ２０３）。
【００２４】
次にＳ２０４では、ＡＰＳフィルム１３の巻き上げおよび巻き戻し動作を行い、画像情報および画像関連情報を読み取った１コマに対する前後コマの画像関連情報の読み取りを関連情報読取部９で読み取る。次にＳ２０４にて読み取った前後のコマの関連情報を画像関連情報１２に記憶を行う（Ｓ２０５）。次に、Ｓ２０２で記憶した１コマの画像関連情報内から日時データを呼び出し、Ｓ２０５で記憶した前後コマの日時データとの比較・演算をそれぞれ行って１コマとの時間差を求める（Ｓ２０６）。
【００２５】
次に、関連情報読取部９により読み取られた前後のコマの位置情報とＳ２０６にて得られた時間差から想定できる位置範囲の地図情報をデータベース２より得る（Ｓ２０７）。
【００２６】
ここで得られる地図情報の範囲は、前後のコマでの位置情報を含むその時間差から移動可能な範囲での地図情報として、代表的な地名等を含む情報である。
【００２７】
次にＳ２０７にて得られた表示すべき範囲の地図情報を、前後コマでの位置を含めて表示を行う（Ｓ２０８）。図７はその状態の一例であり、地図表示上に前後コマでの位置の表示とともに、体表的な場所の位置表示も行っている。
【００２８】
図７では位置情報が不明なＮコマの前後での撮影・記録された位置情報が分かるコマとしてＮ−１、Ｎ＋１、Ｎ＋２コマ目が地図上で表示され、かつ周辺の主な地名としてＰ１、Ｐ２の表示を行っている一例である。（Ｐ１、Ｐ１は地名そのままの表示、例えば横浜山下公園、ランドマークタワー等の表示であってもよい。）
次に、Ｓ２０８にて表示されている位置情報に対して、撮影場所としての位置情報が選択され、設定されるまで待ち（Ｓ２０９）、次にＳ２１０では書き込みデータの確認を行い、書き込みＯＫであればＳ２１１へ進み、そうでなければＳ２０９へ戻り再度設定を行う。次にＳ２１１では、設定された位置情報を、書き込み指令部６からの指令によりＡＰＳフィルム１３の画像関連情報記録部へ画像関連情報として位置情報も含めた上書きを行う。
【００２９】
以上説明したように本実施例二の形態によれば画像再生時において、記録された画像の位置情報が不明である場合には、その画像情報が記録されているコマの日時情報と、その前後のコマに記録されている日時情報および位置情報から、前後のコマの位置情報を含む想定される範囲での地図情報を表示させて位置情報を選択させるようにしているので、ユーザーに対して撮影場所の特定をさせ易くし、確実な位置情報の再設定・記録が可能となる。
【００３０】
本実施例においてはＡＰＳフィルムを用いる画像再生装置での実施形態での説明を行ったが、これに限定されることなく、フロッピー（登録商標）やフラッシュＲＯＭ等に記録された画像情報および画像関連情報の再生を行う画像再生装置でもよい。
【００３１】
【発明の効果】
以上説明したように本発明によれば、画像再生時における記録画像の位置情報が不明である場合には、そのコマの記録画像の日時情報と、その前後コマに記録されている日時情報とを比較して、比較したコマの位置情報およびその時間差を表示させる事で、ユーザーに対して撮影場所の特定をさせ易くして、確実な位置情報の再設定・記録が可能となる。
【００３２】
また、位置情報が不明である記録画像の日時情報と、その前後コマに記録されている日時情報および位置情報から、前後コマの位置情報を含む想定される範囲での地図情報を表示させて位置情報を選択させるようにしているので、ユーザーに対して撮影場所の特定をさせ易くし、確実な位置情報の再設定・記録が可能となる。
【図面の簡単な説明】
【図１】本発明の実施形態に係る画像再生装置の構成を示すブロック図である。
【図２】本発明の第１の実施形態における画像再生装置の主ルーチンの一部を示すフローチャートである。
【図３】本発明の第２の実施形態における画像処理装置の主ルーチンの一部を示すフローチャートである。
【図４】位置情報が不明なＮコマ目に対して、前コマであればＮ−１コマ目が選択された場合を示す図である。
【図５】位置情報が不明なＮコマ目に対して、後コマであればＮ＋１コマ目が選択された場合を示す図である。
【図６】表示状態の一例を示す図である。
【図７】前後コマでの位置を含めて表示を行う状態を示す図である。
【符号の説明】
１　地図データベース
２　データベース
３　記憶部
４　選択ＳＷ
５　表示部
６　書き込み指令部
７　制御部
８　画像読取部
９　関連情報読取部
１０　変換部
１１　画像情報記憶部
１２　関連情報記憶部
１３　ＡＰＳフィルム
【図１】
2004015378.tif 000003
【図２】
2004015378.tif 000004
【図３】
2004015378.tif 000005
【図４】
2004015378.tif 000006
【図５】
2004015378.tif 000007
【図６】
2004015378.tif 000008
【図７】
2004015378.tif 000009